(57)【特許請求の範囲】
【請求項１】
複数の電子機器をそれぞれ搭載可能な複数のスロットと、
前記複数のスロットのうち何れかのスロットに挿入された電子機器と、を備え、
前記電子機器は、電子機器が搭載されていない隣接するスロット側に突出し、該隣接するスロットを流れる冷却風の流量を制限する流量制限部材を有することを特徴とする電子装置。
【請求項２】
前記流量制限部材は、
遮蔽板と、
隣接するスロットに電子機器が挿入された際に前記遮蔽板を電子機器間の空間に退避させ、該隣接するスロットの電子機器が抜かれた際に前記遮蔽板を前記隣接するスロット内に突出させる可動部を含むことを特徴とする請求項１に記載の電子装置。
【請求項３】
前記電子機器は、隣接するスロットに対向する外壁面に段差を有し、該隣接するスロットに電子機器が挿入された際に前記遮蔽板は前記段差と前記隣接する電子機器との間の空間に退避することを特徴とする請求項２に記載の電子装置。
【請求項４】
電子機器が無いスロット内に該スロットの両隣の電子機器の遮蔽部材が突出し、該スロット内の冷却風の流れを遮ることを特徴とする請求項１から３の何れか１項に記載の電子装置。
【請求項５】
複数個の電子機器を搭載可能な電子装置のスロットに搭載される電子機器であって、
前記電子機器は、隣接するスロットに対向する位置に設けられ、該隣接するスロットに電子機器が無い場合に該スロット内に突出し、該スロット内の冷却風の流れを遮る流量制限部材を備えることを特徴とする電子機器。
【請求項６】
前記流量制限部材は、
遮蔽板と、
隣接するスロットに電子機器が挿入された際に前記遮蔽板を電子機器間の空間に退避させ、該隣接するスロットの電子機器が抜かれた際に前記遮蔽板を前記隣接するスロット内に突出させる可動部を含むことを特徴とする請求項５に記載の電子機器。
【請求項７】
前記電子機器は、隣接するスロットに対向する外壁面に段差を有し、該隣接するスロットに電子機器が挿入された際に前記遮蔽板は前記段差と前記隣接する電子機器との間の空間に退避することを特徴とする請求項６に記載の電子機器。
【請求項８】
前記可動部は、前記遮蔽板が取り付けられ、前記電子機器の前記スロットへの抜き差し方向に対して垂直な方向に設けられた回転軸と、前記流量制限部材を突出方向に付勢する付勢部材を含むことを特徴とする請求項６又は７に記載の電子機器。
【発明の詳細な説明】
【技術分野】
【０００１】
本出願は電子装置及びその電子機器に関する。
【背景技術】
【０００２】
従来、複数個の高さと幅が同じ電子機器もしくはシェルフ搭載型電子ユニット（以後搭載ユニットという）を、収納専用ラック（シェルフと呼ばれることもあり、以後筺体と記す）に設置した電子装置が知られている。このような電子装置では、搭載ユニットは、横置きされて筺体の縦方向に並べられて使用されたり、縦置きされて横方向に並べられて使用される。
【０００３】
空冷式の電子装置では、各搭載ユニットの正常な冷却状態を保つため、各搭載ユニットに冷却風がバランス良く適切に供給されるようになっている。ところが、修理や交換のために搭載ユニットが電子装置から抜き取られると、抜き取られた空間（搭載ユニットが入る空間でスロットと呼ばれる）に多量の冷却風が流れ、残った搭載ユニットの冷却バランスが崩れる。
【０００４】
このために、搭載ユニットを電子装置から抜き取った場合は、冷却ファンの回転数を上げる対策等が挙げられる。また、搭載ユニットが筐体から抜き取られた後のスロットの開口を閉じる遮蔽板を筐体に取り付けておく対策等が挙げられる（例えば、特許文献１）。
【先行技術文献】
【特許文献】
【０００５】
【特許文献１】実開平５−２１４９２号公報
【発明の概要】
【発明が解決しようとする課題】
【０００６】
ところが、故障した搭載ユニットを電子装置から抜き取った場合に冷却ファンの回転数を上げることで冷却風の供給能力を上げて風量を増やす場合は、騒音や電力が増大してしまう。また、冷却ファンは最大風量に合わせた送風能力を持つ必要があり、冷却ファンが大型になる、高速回転が可能な高性能のモーターを使用した高価なファンになるなどの課題がある。
【０００７】
また、筐体に遮蔽板を取り付けるには、筐体自体が遮蔽板を取り付けるための被取り付け構造を備えることが要求されるため、筐体の構造についての制約が生じ易くなる。
【０００８】
一側面では、本発明は、電子機器もしくは搭載ユニットが搭載されるスロットのうち、空きスロットに流れる冷却風の流量制限を行うための新たな仕組みを提供することを目的とする。
【課題を解決するための手段】
【０００９】
本出願の電子装置は、複数の電子機器をそれぞれ搭載可能な複数のスロットと、複数のスロットのうち何れかのスロットに挿入された電子機器とを備える。電子機器は、電子機器が搭載されていない隣接するスロット側に突出し、隣接するスロットを流れる冷却風の流量を制限する流量制限部材を有する。
【００１０】
また、本出願の電子機器は、複数個の電子機器を搭載可能な電子装置のスロットに搭載される電子機器である。電子機器は、隣接するスロットに対向する位置に設けられ、該隣接するスロットに電子機器が無い場合にスロット内に突出し、スロット内の冷却風の流れを遮る流量制限部材を備える。
【発明の効果】
【００１１】
一態様によれば、電子機器を搭載可能なスロットのうち、空きスロットに流れる冷却風の流量制限を行うことができる。
【図面の簡単な説明】
【００１２】
【図１】（ａ）は本出願の搭載ユニットが搭載された電子装置を示す斜視図、（ｂ）は（ａ）に示した電子装置の側断面図、（ｃ）は（ａ）に示した電子装置を背面側から見た背面図である。
【図２】（ａ）は本出願の搭載ユニットの第１の実施例を示す組立斜視図、（ｂ）は第１の実施例の搭載ユニットを６台搭載した電子装置の水平方向の断面図である。
【図３】第１の実施例の搭載ユニットを搭載する電子装置の左側の側壁の構造を示す部分拡大斜視図である。
【図４】（ａ）は本出願の搭載ユニットの第２の実施例を示す斜視図、（ｂ）は第２の実施例の搭載ユニットの平面図、（ｃ）は（ｂ）に示した搭載ユニットを搭載した電子装置から抜き取る際の遮蔽板の動作を示す平面図、（ｄ）は（ｃ）の状態から搭載ユニットを更に抜いた時の遮蔽板の動作を示す平面図である。
【図５】（ａ）、（ｂ）は、第２の実施例の遮蔽板を不適切な位置に設置した場合の遮蔽板の動作を示す、図４（ｃ）、（ｄ）に対応する平面図、（ｃ）、（ｄ）は遮蔽板を不適切な位置に設置した場合の別の例の平面図である。
【図６】（ａ）は本出願の搭載ユニットの第３の実施例を示す組立斜視図、（ｂ）は（ａ）の遮蔽板係止具の機能を示す部分図、（ｃ）は第３の実施例の搭載ユニットの平面図、（ｄ）は第３の実施例の搭載ユニットを収納する筺体一実施例を示す平面図である。
【図７】（ａ）は本出願の搭載ユニットの第４の実施例を示す平面図、（ｂ）は（ａ）のアンロック機構を示す部分拡大図、（ｃ）は第４の実施例の搭載ユニットを筺体内に挿入した時のアンロック機構の動作を示す平面図である。
【図８】（ａ）は本出願の搭載ユニットの第５の実施例を示す平面図、（ｂ）は第５の実施例の搭載ユニットを収容する筺体の構造を示す部分斜視図、（ｃ）は第５の実施例の搭載ユニットを筺体内に挿入した時のアンロック機構の動作を示す平面図である。
【図９】（ａ）は本出願の搭載ユニットの第６の実施例の遮蔽板部分を示す部分拡大斜視図、（ｂ）は（ａ）に示した遮蔽板部分の部分側面図、（ｃ）は第６の実施例の搭載ユニットを筺体に挿入した時のアンロック機構の動作を示す平面図である。
【図１０】ロック板により遮蔽板を搭載ユニットの凹部内に係止可能な搭載ユニットにおいて、遮蔽板が開いた状態で搭載ユニットを取り出す際に、遮蔽板を閉じてロック板に係止させるロック機構を説明するものであり、（ａ）は電子装置の筺体の搭載スペースを示す斜視図、（ｂ）は（ａ）に示す筺体に収納された搭載ユニットのうち、１つの搭載ユニットが抜き取られた状態を示す筺体の平面図である。
【図１１】（ａ）、（ｂ）は、図１０（ｂ）に示した筺体から搭載ユニットが抜き取られる場合に、開いた状態の遮蔽板がロック板によってロックされて凹部内に係止される過程を示す平面図である。
【図１２】（ａ）は本出願の搭載ユニットの第７の実施例及び第７の実施例の搭載ユニットを収容する筺体の構造を示す部分斜視図、（ｂ）は第７の実施例の搭載ユニットの遮蔽板が動作状態にある状態を示す筺体の平面図、（ｃ）は（ｂ）に示した第７の実施例の搭載ユニットを筺体から抜き取る際のロック機構の動作を示す平面図である。
【図１３】（ａ）は本出願の第８の実施例の搭載ユニットの、遮蔽板が開いた状態を示す斜視図、（ｂ）は（ａ）のＭ部の部分拡大斜視図、（ｃ）は（ａ）に示した第８の実施例の搭載ユニットの、遮蔽板が閉じた状態を示す斜視図、（ｄ）は（ｃ）のＮ部の部分拡大斜視図である。
【図１４】（ａ）は図１３に示した本出願の第８の実施例の搭載ユニットが筺体内に挿入される状態を示す斜視図、（ｂ）は（ａ）の要部の部分拡大組立斜視図である。
【発明を実施するための形態】
【００１３】
以下、添付図面を用いて本出願の実施の形態を、具体的な実施例に基づいて詳細に説明する。なお、同じ構成部材には同じ符号を付して説明する。また、本出願の実施の形態では、電子装置の筐体にあるスロット収容される電子機器として搭載ユニットを説明しているが、電子機器としては、ケースに収容された搭載ユニット以外にも、プリント基板、ハードディスク装置本体でも同様の実施形態が可能である。更に、本実施形態では、搭載ユニットの数は説明の都合上少なくしてあるが、筐体に収容される搭載ユニットの数は特に制限されない。
【００１４】
図１（ａ）は本出願の電子機器である搭載ユニット１０が搭載された電子装置１の一例を示す斜視図であり、図１（ｂ）は図１（ａ）に示した電子装置１の側断面図、図１（ｃ）は図１（ａ）に示した電子装置１を背面側から見た背面図である。この例の電子装置１では、筺体２内に６台の搭載ユニット１０が搭載されており、６台の搭載ユニット１０はその前面１０Ｆ側から冷却風Ｃを吸い込み、後ろ側にある冷却ファン９で吐き出す。冷却ファン９と冷却ファン９の間の空間には、図示は省略するが、プリント基板や電源ユニット等が実装されている。
【００１５】
図２（ａ）は図１（ａ）に示した電子装置１に搭載される搭載ユニット１０の第１の実施例を示す組立斜視図であり、図２（ｂ）は第１の実施例の搭載ユニット１０を６台搭載可能な電子装置１の水平方向の断面図である。第１の実施例では、搭載ユニット１０の後端面１０Ｂ側の一方の側面には凹部１４が形成されており、この凹部１４内に遮蔽板２０が設けられている。遮蔽板２０の搭載ユニット１０の前面１０Ｆ側の両側には軸挿通孔２２を備えたブラケット２１が設けられている。一方、凹部１４の搭載ユニット１０の前面１０Ｆ側の両側には、回転軸１２が突設されたブラケット１１が設けられている。回転軸１２にはバネ１３が取り付けられた後に、遮蔽板２０のブラケット２１に設けられた軸挿通孔２２が遊嵌される。遮蔽板２０はバネ１３によりその先端部が凹部１４から突出する方向に付勢される。
【００１６】
遮蔽板２０には搭載ユニット１０と同程度の通風抵抗になるような開口が設けられているか、または大きさが調整されている。図２（ａ）、（ｂ）では、遮蔽板２０は凹部１４内に設置され、搭載ユニット１０の中ほどに位置しているが、遮蔽板２０は冷却風路内であればどの位置にあっても良い。即ち、遮蔽板２０は電子装置１全体の冷却構造や搭載ユニット１０内の部品配置による通風経路の構造に応じて、最も適切な位置に取り付ければ良い。遮蔽板２０はバネ１３により常に開く方向に回転する力を与えられており、図２（ｂ）に示すように、搭載ユニット１０が隣に搭載されている時は、先端部が隣の搭載ユニット１０に当接した状態まで回転した状態になっている。
【００１７】
図２（ｂ）は、６台の搭載ユニット１０のうち、最も右側の搭載ユニット１０が既に抜き取られた状態であり、左から３番目の搭載ユニット１０が抜き取られる過程にある状態を示すものである。搭載ユニット１０が筺体２の搭載スペース（以後スロットと記す）３から完全に抜き取られた状態では、遮蔽板２０はバネ１３の力により自動的に開き、搭載ユニット１０が抜かれたスロット３内に突出する。この遮蔽板２０のスロット３への突出により、スロット３を流れる冷却風の流量を制限することができる。従って、遮蔽板２０の面積、スロット３内への突出時の開口部の面積を予め定めておけば、スロット３を流れる冷却風の流量を、このスロット３に搭載ユニット１０が挿入されていた時の流量と同じにすることが可能である。
【００１８】
第１の実施例では、遮蔽板２０は搭載ユニット１０の右面に取り付けられているが、左面に取り付けても良い。また、遮蔽板２０を搭載ユニット１０の片面（右面）に取り付けた場合は、筺体２の最も左側に搭載されている搭載ユニット１０が抜き取られると、抜き取られた後のスロット３を塞ぐものがない。このような場合は、図２（ｂ）に示すように筺体２の左側の側壁２Ｌを厚くし、その一部に凹部４を設け、この凹部４内に、図３に示すようにブラケット４Ｂと回転軸４Ａを設け、搭載ユニット１０に設けられた遮蔽板２０と同様の構造の遮蔽板２０を設ければ良い。遮蔽板２０が搭載ユニット１０の左面に取り付けられている場合は、筺体２の右側の側壁２Ｒに同様の構造の遮蔽板２０を設ければ良い。
【００１９】
図４（ａ）は本出願の搭載ユニット１０の第２の実施例を示す斜視図であり、図４（ｂ）は第２の実施例の搭載ユニットの平面図である。第２の実施例では、搭載ユニット１０の両側の面に遮蔽板２０が設けられている。ここでは、遮蔽板２０のうち、搭載ユニット１０の左側面に設置されるものを遮蔽板２０Ｌとし、右側面に設置されるものを遮蔽板２０Ｒとする。
【００２０】
搭載ユニット１０の両側の面に遮蔽板２０Ｌ，２０Ｒを設ける場合、図５（ｃ）、（ｄ）に示すように、遮蔽板２０Ｌ，２０Ｒを搭載ユニット１０の中央に、前面１０Ｆからの位置を同じにして取り付けると、遮蔽板２０Ｌ，２０Ｒの開閉タイミングが同じになる。遮蔽板２０Ｌ，２０Ｒの開閉タイミングが同じであると、搭載ユニット１０の抜き差し時に遮蔽板２０Ｌ，２０Ｒが衝突する。冷却機能上は問題ないが、衝突時の遮蔽板２０Ｌ，２０Ｒの擦れによる切り屑の発生や衝突音は好ましくない。
【００２１】
そこで、第２の実施例では、図４（ｂ）に示すように、遮蔽板２０Ｌ，２０Ｒの開閉のタイミングをずらすために、遮蔽板２０Ｌ，２０Ｒの回転軸１２の取り付け位置に位置差Ｄ２を設ける。右側の遮蔽板２０Ｒは、第１の実施例と同様に深さＤ１の凹部１４内に設ける。左側の遮蔽板２０Ｌは、凹部１４と同じ深さの第２の凹部１４Ａを搭載ユニット１０の左側の側面に設け、遮蔽板２０Ｌの回転軸１２を遮蔽板２０Ｒの回転軸１２に対して距離Ｄ２だけ搭載ユニット１０の前面１０Ｆ側に移動する。
【００２２】
更に、遮蔽板２０Ｌを設けた側の搭載ユニット１０の後端面１０Ｂには、高さＤ３の突起１５を形成する。突起１５の高さＤ３は遮蔽板２０Ｌ，２０Ｒの回転軸１２の位置差Ｄ２よりも高くする。図４（ｃ）は図４（ｂ）に示した搭載ユニット１０を、これを搭載した電子装置から抜き取る際の遮蔽板２０Ｌ，２０Ｒの動作を示すものである。搭載ユニット１０を抜き取っていくと、早いタイミングで遮蔽板２０Ｌが開く方向に回転してスロット３Ａ内に突出するが、遮蔽板２０Ｒは突起１５に遮られて回転できない。
【００２３】
搭載ユニット１０を図４（ｄ）に示すように更に抜き取ると、突起１５による遮蔽板２０Ｒの規制が無くなるので、遮蔽板２０Ｒが遅いタイミングで開く方向に回転してスロット３Ａ内に突出する。このように、遮蔽板２０Ｌと遮蔽板２０Ｒは、スロット３Ａ内に突出するタイミングが異なるので、遮蔽板２０Ｌと遮蔽板２０Ｒの干渉を避けることができる。逆に、スロット３Ａ内に修理の終わった搭載ユニット１０を挿入する場合は、図４（ｄ）に示すように、突起１５によって遮蔽板２０Ｒが早いタイミングで先に閉じ始める。そして、遮蔽板２０Ｒがある程度閉じた遅いタイミングで、遮蔽板２０Ｌが搭載ユニット１０の後端面１０Ｂに押されて閉じるので、搭載ユニット１０の挿入時にも遮蔽板２０Ｌと遮蔽板２０Ｒの干渉を避けることができる。
【００２４】
一方、位置差Ｄ２がない場合は、遮蔽板２０Ｌを設けた側の搭載ユニット１０の後端面１０Ｂに、高さＤ３の突起１５を形成した場合に、図５（ａ）に示すように遮蔽板２０Ｌ，２０Ｒの開閉タイミングは異なる。しかし、搭載ユニット１０を抜き取った時に、図５（ｂ）に示すように遮蔽板２０Ｌ，２０Ｒが衝突し、図５（ｂ）、（ｃ）の場合と同様に好ましくない。
【００２５】
図６（ａ）は本出願の搭載ユニット１０の第３の実施例を示す組立斜視図であり、第１の実施例の変形例である。第１の実施例では、遮蔽板２０がバネ１３で開く方向に付勢されているので、搭載ユニット１０を電子装置の筺体から抜き取った状態では、遮蔽板２０は凹部１４から常に突出して開いた状態にある。電子装置のスロットに連続したスロットが存在しない場合は、遮蔽板２０が開いた状態では、搭載ユニット１０を電子装置の単独で空いたスロットに挿入することはできず、遮蔽板２０を手で押さえて閉じながら挿入しなければならない。閉じることを忘れて搭載ユニット１０を電子装置のスロットに搭載しようとした場合、遮蔽板２０を破損する可能性がある。
【００２６】
第３の実施例の搭載ユニット１０は、搭載ユニット１０をスロットに挿入し易くしたものであり、凹部１４の周縁部に、遮蔽板２０を凹部１４内に係止するロック板１６を設けたものである。ロック板１６は、図６（ｂ）に示すように、搭載ユニット１０の側面に一端が固定されるバネ１６Ｂとバネ１６Ｂの先端部に突設された突起１６Ａを備える。ロック板１６の突起１６Ａは凹部１４内に突出しており、凹部１４内に遮蔽板２０が押し込まれると、バネ１６Ｂが変形して突起１６Ａが遮蔽板２０を乗り越えて遮蔽板２０の外側に位置するようになる。この結果、図６（ｃ）に示すように、遮蔽板２０が突起１６Ａを超えて凹部１４内に押し込まれると、突起１６Ａが遮蔽板２０が凹部１４から外側に回転するのを係止する。
【００２７】
このように、第３の実施例の搭載ユニット１０では、ロック板１６により、遮蔽板２０を閉じた状態で電子装置内に搭載することができる。しかし、遮蔽板２０は、電子装置内に搭載した後は、ロック板１６による係止から外れ、バネ１３によってその先端部が凹部１４から外側に突出する必要がある。このため、第３の実施例の搭載ユニット１０を電子装置に搭載する場合は、図６（ｄ）に示すように、電子装置の筺体２のスロット３の最深部に位置する壁面２Ｂに、係止板１６の係止を解除するアンロック突起５を設ける。
【００２８】
アンロック突起５には、遮蔽板２０の先端部に対向する位置に斜面５Ｓが設けられている。この斜面５Ｓは遮蔽板２０の先端部を凹部１４の外側に移動させる方向に傾斜している。搭載ユニット１０をスロット３内に挿入していくと、搭載ユニット１０の後端面１０Ｂが壁面２Ｂに接近した状態で、遮蔽板２０の先端部がこの斜面５Ｓに乗り上げ、遮蔽板２０の先端部が凹部１４の外側に移動する。遮蔽板２０の移動により、搭載ユニット１０が搭載を完了する直前でロック板１６による係止が解除される。ロック板１６による係止が解除されることにより、遮蔽板２０は回転可能になり、遮蔽板２０の先端部が隣に位置する搭載ユニット１０の側面に当接する位置まで遮蔽板２０が開く。この結果、隣の搭載ユニット１０が電子装置から抜き取られると、遮蔽板２０が自動的に開き、搭載ユニット１０が抜き取られて出来た空きスロットを塞ぐことができる。
【００２９】
図７（ａ）は、本出願の搭載ユニット１０の第４の実施例を示すものである。第３の実施例の搭載ユニット１０では、ロック板１６による遮蔽板２０の係止を、スロット３の最深部に位置する壁面２Ｂに設けられたアンロック突起５で解除していた。一方、第４の実施例では、第３の実施例のアンロック突起５に対応するアンロック機構１７を搭載ユニット１０の凹部１４内に設けている。
【００３０】
アンロック機構１７は、図７（ｂ）に示すように、凹部１４内に突設された支柱１７Ｃと、バネ１７Ｂを収容するために支柱１７Ｃの先端部に設けられたバネ収容部１７Ｄと、バネ収容部１７Ｄ内のバネ１７Ｂを挿通するスライド部材１７Ａを備える。スライド部材１７Ａの一方の端部にはスライド部材１７Ａのスライド方向に直交する端面１７Ｇがあり、他方の端部は傾斜面１７Ｅとなっている。傾斜面１７Ｅは、アンロック機構１７が凹部１４に取り付けられた状態で、ロック板１６で係止されて凹部１４内に位置する遮蔽板２０の先端部に対向する。バネ収容部１７Ｄ内のスライド部材１７Ａにはフランジ部１７Ｆがあり、バネ１７Ｂで付勢されているので、スライド部材１７Ａは矢印Ａ方向に付勢されている。図１７（ａ）に示すように、支柱１７Ｃは凹部１４の最奥部に取り付けられており、この状態でスライド部材１７Ａの端面１７Ｇは搭載ユニット１０の後端面１０Ｂから外側に突出している。
【００３１】
図７（ｃ）は、第４の実施例の搭載ユニット１０を筺体２内に挿入した時のアンロック機構１７の動作を示す平面図である。遮蔽板２０はロック板１６に係止された状態で搭載ユニット１０を筺体２内に挿入していく。すると、搭載ユニット１０の後端面１０Ｂがスロット３の最深部に位置する壁面２Ｂに到達する前に、アンロック機構１７のスライド部材１７Ａの端面１７Ｇがこの壁面２Ｂに突き当たる。搭載ユニット１０を筺体２内に更に挿入すると、スライド部材１７Ａがバネ１７Ｂに抗して移動し、遮蔽板２０の端部が斜面１７Ｅに乗り上げて、遮蔽板２０が凹部１４から外側に回転し、ロック板１６による遮蔽板２０の係止が解除される。
【００３２】
ロック板１６による係止が解除されることにより、遮蔽板２０は回転可能になり、遮蔽板２０の先端部が隣に位置する搭載ユニット１０の側面に当接する位置まで遮蔽板２０が開く。この結果、隣の搭載ユニット１０が電子装置から抜き取られると、遮蔽板２０が自動的に開き、搭載ユニット１０が抜き取られて出来た空きスロットを塞ぐことができる。
【００３３】
図８（ａ）は本出願の搭載ユニット１０の第５の実施例を示す平面図である。第５の実施例の搭載ユニット１０にも、凹部１４の周縁部に、遮蔽板２０を凹部１４内に係止するロック板１６が設けられている。ロック板１６の構造は、第３、第４の実施例と同じであり、遮蔽板２０が突起１６Ａを超えて凹部１４内に押し込まれると、突起１６Ａが遮蔽板２０が凹部１４から外側に回転するのを係止する。第５の実施例の搭載ユニット１０が図６（ｃ）に示した第３の実施例の搭載ユニット１０と異なる点は、遮蔽板２０の回転軸１２側の端部に、スロット３に収容された隣接する搭載ユニット１０との間の隙間ＳＰに突出するレバー２３が形成されている点である。
【００３４】
一方、第５の実施例の搭載ユニット１０に対応する電子機器の筺体２には、図８（ｂ）に示すように、隙間ＳＰ内にガイド板６が設けられている。ガイド板６の搭載ユニット１０の挿入方向の途中部分には段差部６Ａがあり、段差部６Ａより奥側のガイド板６の高さは入口側の高さよりも広くなっている。この段差部６Ａは、第５の実施例の搭載ユニット１０が筺体２にあるスロット３に挿入される過程で、レバー２３に当接する位置にある。
【００３５】
図８（ｃ）に示すように、第５の実施例の搭載ユニット１０を筺体２のスロット３内に挿入していくと、挿入の途中で段差部６Ａがレバー２３に当接する。段差部６Ａの位置は二点鎖線で示してある。段差部６Ａがレバー２３に当接した後も搭載ユニット１０のスロット３への挿入を続けると、段差部６Ａによってレバー２３が付勢され、遮蔽板２０が開く方向に回転する。遮蔽板２０が回転すると、ロック部材１６による遮蔽板２０の係止が解除される。
【００３６】
ロック板１６による係止が解除されることにより、遮蔽板２０は回転可能になり、遮蔽板２０の先端部が隣に位置する搭載ユニット１０の側面に当接する位置まで遮蔽板２０が開く。この結果、隣の搭載ユニット１０が電子装置から抜き取られると、遮蔽板２０が自動的に開き、搭載ユニット１０が抜き取られて出来た空きスロットを塞ぐことができる。
【００３７】
図９（ａ）は、本出願の搭載ユニット１０の第６の実施例の遮蔽板２０の部分を示す部分拡大斜視図である。第６の実施例の遮蔽板２０には、第５の実施例の遮蔽板２０に設けられたレバー２３と同様のレバー２４が設けられているが、レバー２３はその自由端部が隣接する搭載ユニット１０の間の隙間に突出していたのに対し、レバー２４の自由端部は凹部１４内にある。また、レバー２３が遮蔽板２０の側辺に取り付けられていたのに対して、レバー２４は遮蔽板２０の回転軸１２側の辺に取り付けられている。第６の実施例の遮蔽板２０に設けられたレバー２４は後述するロッドの突き当て板になっている。
【００３８】
また、第４の実施例の搭載ユニット１０では、ロック板１６によって係止されて凹部１４内に保持された遮蔽板２０の係止を、凹部１４の最奥部に位置するアンロック機構１７で解除していた。これに対して、第６の実施例では、第４の実施例のアンロック機構１７に対応するアンロック機構１８を、凹部１４のロック板１６を挟んで反対側の部分に設けている。
【００３９】
アンロック機構１８は、図９（ａ）、（ｂ）に示すように、凹部１４内の遮蔽板２０の側辺より外側の部分に突設された２つのブラケット１８Ａ，１８Ｄと、バネ１８Ｂと、ロッド１８Ｅと、ロッド１８Ｅに固定されたフランジ部１８Ｃを備える。ブラケット１８Ａは断面がコ字状であり、ブラケット１８Ｄは断面がＬ字状であって、ブラケット１８Ａ，１８Ｄに設けられた貫通孔をロッド１８Ｅが貫いている。ロッド１８Ｅにはフランジ１８Ｃが固着されており、このフランジ１８Ｃはブラケット１８Ａの内部に位置していて、ブラケット１８Ａの内部でロッド１８Ｅに巻回されたバネ１８Ｂによって搭載ユニット１０の後端面１０Ｂ側に付勢されている。この状態で、ロッド１８Ｅの一端は搭載ユニット１０の後端面１０Ｂから突出しており、他端は遮蔽板２０のレバー２４に近接した位置にある。
【００４０】
図９（ｃ）は、第６の実施例の搭載ユニット１０を筺体２内に挿入した時のアンロック機構１８の動作を示す平面図である。遮蔽板２０はロック板１６に係止された状態で搭載ユニット１０を筺体２内に挿入していく。すると、搭載ユニット１０の後端面１０Ｂがスロット３の最深部に位置する壁面２Ｂに到達する前に、アンロック機構１８のロッド１８Ｅの一端がこの壁面２Ｂに突き当たる。搭載ユニット１０を筺体２内に更に挿入すると、ロッド１８Ｅがバネ１８Ｂに抗して移動し、ロッド１８Ｅの他端がレバー２４に突き当たり、レバー２４を回転させる。レバー２４の回転により、遮蔽板２０が開く方向にて回転する。遮蔽板２０が回転すると、ロック部材１６による遮蔽板２０の係止が解除される。
【００４１】
ロック板１６による係止が解除されることにより、遮蔽板２０は回転可能になり、遮蔽板２０の先端部が隣に位置する搭載ユニット１０の側面に当接する位置まで遮蔽板２０が開く。この結果、隣の搭載ユニット１０が電子装置から抜き取られると、遮蔽板２０が自動的に開き、搭載ユニット１０が抜き取られて出来た空きスロットを塞ぐことができる。
【００４２】
以上説明した第３から第６の実施例は、遮蔽板を凹部に設けたロック板によって凹部内に係止することが可能であると共に、搭載ユニットを搭載スペースに搭載した場合には、ロック板による遮蔽板の係止が解除されるようにしたものである。これらの実施例の搭載ユニットは、何らかの理由で搭載ユニットがスロットから抜き取られると、遮蔽板は開いた状態のままとなるので、搭載スペースに戻す際には手で遮蔽板を押してロック板で係止させる必要があった。そして、搭載ユニットを搭載スペースに戻す際に、遮蔽板を押してロック板で係止させる作業を忘れると、遮蔽板が他の搭載ユニットの前面に当接して破損する虞があった。そこで、搭載ユニットをスロットから抜き取る場合に、遮蔽板が閉じた状態とすることができる実施例を以下に説明する。
【００４３】
図１０（ａ）、（ｂ）、図１１（ａ）、（ｂ）は、ロック板１６により遮蔽板２０を搭載ユニット１０の凹部１４内に係止可能な搭載ユニット１０において、搭載ユニット２０の抜き取り時における遮蔽板２０のロック機構及びその動作を説明するものである。図１０（ａ）は電子装置の筺体２のスロット３を下方から見た斜視図であり、筺体２の天井壁２Ａの一実施例の構造を示している。この実施例の筺体２の天井壁２Ａには、湾曲したガイド溝７が設けられている。
【００４４】
図１０（ｂ）は、図１０（ａ）に示した３つの搭載ユニットを搭載可能な筺体２のスロット３に、２つの搭載ユニット１０が、真ん中のスロットを空けて搭載された状態を示すものである。図１０（ｂ）に示される搭載ユニット１０は、第３の実施例の搭載ユニット１０を変形させたものである。第３の実施例の変形例の搭載ユニット１０が、第３の実施例の搭載ユニット１０と異なる点は、遮蔽板２０の筺体２の天井壁２Ａに対向する辺に、ポスト２５が突設されている点である。このポスト２５は、筺体２の天井壁２Ａに設けられたガイド溝７に係合する高さを備えている。
【００４５】
図１１（ａ）は、図１０（ｂ）に示した筺体２から、左側の搭載ユニット１０を抜き取る状態を示している。搭載ユニット１０を抜き取っていくと、遮蔽板２０の筺体２の天井壁２Ａに対向する辺に突設されたポスト２５がガイド溝７に当接し、搭載ユニット１０の抜き取りに応じてガイド溝７に沿って移動する。ガイド溝７は当接したポスト２５を搭載ユニット１０に近づけるように湾曲した形状を備えている。そして、搭載ユニット１０を筺体２から更に抜き取っていくと、図１１（ｂ）に示すように、ポスト２５が筺体２の入口に近づいた時点で、ポスト２５を介してガイド溝７に押された遮蔽板２０が、ロック板１６で係止され、遮蔽板２０が凹部１４内に係止される。この結果、筺体２から抜き取られた搭載ユニット１０は、遮蔽板２０が常に凹部１４内にあるロック板１６に係止されて凹部１４内に保持された状態となる。
【００４６】
図１０（ａ）に示されるガイド溝７を備えた筐体２は、前述の第４から第６の実施例の搭載ユニット１０に対しても使用することができる。即ち、第４から第６の実施例の搭載ユニット１０の遮蔽板２０に同様のポスト２５を突設して、ガイド溝７を備えた筐体２に搭載すれば、第３の実施例と同様に、搭載ユニット１０を筺体２から抜き取った時に遮蔽板２０が常に凹部１４内に保持された状態となる。
【００４７】
なお、第５の実施例の搭載ユニット１０とガイド板６に対しては、搭載ユニット１０を筺体２から抜き取った時に遮蔽板２０をロック板１６によって常に凹部１４内に係止させる第７の実施例が可能である。これを図１２（ａ）から図１２（ｃ）を用いて説明する。
【００４８】
第５の実施例の搭載ユニット１０は、図８（ａ）から図８（ｃ）で説明したように、遮蔽板２０の回転軸１２側の端部にレバー２３が形成されていると共に、並んだ搭載ユニット１０の隙間ＳＰ内にガイド板６が設けられていた。一方、第７の実施例の搭載ユニット１０には、図１２（ａ）に示すように、搭載ユニット１０の筐体２への抜き差し方向に対して、レバー２３と重ならずに隣接する遮蔽板２０上の位置に、抜き差し方向の両側に斜面を備えた突起２６が形成されている。また、ガイド板６の段差部６Ａに連続する部分には、突出部６Ｔが形成されている。突出部６Ｔの段差部６Ａからの高さは、搭載ユニット１０の抜き差し時に突起２６に係合する高さである。また、突出部６Ｔの段差部６Ａの反対側にある第２の段差部６Ｂの位置については後述する。説明を簡単にするために、図１２（ａ）に示される筐体２は、搭載ユニット１０を２つ収容できるサイズになっている。
【００４９】
図１２（ｂ）は、図１２（ａ）に示した筐体２の左側に第７の実施例の搭載ユニット１０が搭載され、右側は搭載ユニットが抜き取られてスロット３Ａが存在する状態を示している。この状態では、遮蔽板２０が回転してスロット３Ａ内に突出している。突出部６Ｔの段差部６Ａの反対側にある第２の段差部６Ｂの位置は、スロット３Ａ内に突出した遮蔽板２０よりも筐体２の入口側にあり、二点鎖線６Ａが段差部６Ａの位置を示し、二点鎖線６Ｂが第２の段差部６Ｂの位置を示している。従って、突出部６Ｔは二点鎖線６Ａと二点鎖線６Ｂの間の部分に設けられている。
【００５０】
図１２（ｂ）に示す状態から搭載ユニット１０を抜き取っていくと、突出部６Ｔの第２の段差部６Ｂが遮蔽板２０に当接するので、遮蔽板２０は回転軸１２を中心にして凹部１４側に回転していく。そして、図１２（ｃ）に示すように、遮蔽板２０上に設けられた突起２６が突出部６Ｔの第２の段差部６Ｂに当接する。この状態から更に搭載ユニット１０が抜き取られると、突起２６の斜面が第２の段差部６Ｂに押されるので、突出部６Ｔの第２の段差部６Ｂ次第に凹部１４内に押し込まれる。そして、段差部６Ｂが突起２６の頂面に達した時は、遮蔽板２０はロック板１６の突起を越えて凹部１４側に押し込まれる。この結果、段差部６Ｂと突起２６との係合が終了した時点では遮蔽板２０はロック板１６に係止されて凹部１４内に保持される。
【００５１】
このように、第７の実施例の搭載ユニット１０では、突出部６Ｔにより搭載ユニット１０が筐体２から抜き取られる過程で突起２６に当接するので、遮蔽板２０を凹部１４側に移動させ、遮蔽板２０をロック部材１６によって係止させることができる。突起部６Ｔは、搭載ユニット１０を筐体２に搭載する際には、遮蔽板２０を凹部１４側に一時的に押し込むだけで、遮蔽板２０のロック板１６からの係止解除には寄与しない。
【００５２】
図１３（ａ）は本出願の第８の実施例の搭載ユニット１０を示す斜視図であり、図１３（ｂ）は図１３（ａ）のＭ部を部分的に拡大したものである。遮蔽板２０は蝶番２７により回転可能に搭載ユニット１０に取り付けられている。図１３（ａ）は遮蔽板２０が開いた状態を示す。遮蔽板２０には係止孔２８Ａが設けられた係止片２８が先端部近傍の側辺に設けられている。
【００５３】
一方、図１３（ｃ）に示すように、蝶番２７にはバネ２９が取り付けられており、遮蔽板２０を開く方向に付勢している。また、搭載ユニット１０には、バネ部４１、係止突起４２及び傾斜部４３を備えたバネ部材４０が設けられている。バネ部４１の傾斜部４３と反対側の一端には取付孔４１があり、バネ部材４０はねじやリベットをこの取付孔４１に挿通して搭載ユニット１０に固定されており、他端が揺動可能となっている。バネ部材４０の傾斜部４３は搭載ユニット１０の外形から飛び出している。更に、図１４（ｂ）に示すように、係止片２８の係止孔２８Ａと、バネ部材４０の係止突起４２は嵌合している。
【００５４】
図１４（ａ）は図１３に示した本出願の搭載ユニット１０が筺体２内に搭載される状態を示すものである。搭載ユニット１０を筐体２のスロット３に挿入すると、筐体２のガイド板８にバネ部材４０の傾斜部４３が当り、バネ部材４０は矢印Ｃの方向に押し込まれる。これにより、係止片２８の係止孔２８Ａとバネ部材４０の係止突起４２は嵌合が外れ、遮蔽板２０は回転可能となる。
【００５５】
以上により、作業者は遮蔽板２０を気にすることなく搭載ユニット１０の電子機器１への搭載、取り外しが可能になり、遮蔽板２０は搭載状態では必ず有効になるので、搭載ユニット１０の電子機器１への搭載の有無による冷却条件の変化をなくすことができる。
【００５６】
以上、本出願を特にその好ましい実施の形態を参照して詳細に説明した。本出願の容易な理解のために、本出願の具体的な形態を以下に付記する。
【００５７】
（付記１）  複数の電子機器をそれぞれ搭載可能な複数のスロットと、
前記複数のスロットのうち何れかのスロットに挿入された電子機器と、を備え、
前記電子機器は、電子機器が搭載されていない隣接するスロット側に突出し、該隣接するスロットを流れる冷却風の流量を制限する流量制限部材を有することを特徴とする電子装置。
（付記２）  前記流量制限部材は、
遮蔽板と、
隣接するスロットに電子機器が挿入された際に前記遮蔽板を電子機器間の空間に退避させ、該隣接するスロットの電子機器が抜かれた際に前記遮蔽板を前記隣接するスロット内に突出させる可動部を含むことを特徴とする付記１に記載の電子装置。
（付記３）  前記電子機器は、隣接するスロットに対向する外壁面に段差を有し、該隣接するスロットに電子機器が挿入された際に前記遮蔽板は前記段差と前記隣接する電子機器との間の空間に退避することを特徴とする付記２に記載の電子装置。
（付記４）  電子機器が無いスロット内に該スロットの両隣の電子機器の遮蔽部材が突出し、該スロット内の冷却風の流れを遮ることを特徴とする付記１から３の何れかに記載の電子装置。
（付記５）  前記流量制御部材が前記電子機器の一方の側面に設置されている場合に、前記複数のスロットの両端部に位置するスロットのうち、前記電子機器の他方の面側に位置するスロットの端面には、前記流量制御部材と同じ機能を備えた流量制御部材が設けられていることを特徴とする付記１から４の何れかに記載の電子装置。
【００５８】
（付記６）  前記段差内に、前記遮蔽板を前記段差内に係止する係止部材が設けられており、前記電子機器は、前記遮蔽板が前記係止部材に係止された状態で前記スロットに挿入される場合に、
前記スロット内に、前記電子機器が前記スロット内に完全に挿入された状態では、前記係止部材による前記遮蔽板の係止を解除する係止解除部材が設けられていることを特徴とする付記３に記載の電子装置。
（付記７）  前記係止解除部材が、前記スロットへの前記電子機器の挿入先端面に対向する前記スロットの壁面に、前記係止部材に対応して設けられていることを特徴とする付記６に記載の電子装置。
（付記８）  前記係止解除部材が、前記スロットの電子機器間の空間に設けられており、前記スロットへの前記電子機器の挿入途中で、前記遮蔽板に突設されたレバーに係合して、前記遮蔽板を前記隣接するスロット内に突出させることを特徴とする付記６に記載の電子装置。
（付記９）  前記段差内に、前記遮蔽板を前記段差内に係止する係止部材と、前記係止部材の係止動作を解除する係止解除部材が設けられており、前記電子機器は、前記遮蔽板が前記係止部材に係止された状態で前記スロットに挿入される場合に、
前記電子機器が前記スロット内に完全に挿入された状態では、前記係止解除部材が前記遮蔽板に突設されたレバーに係合して、前記遮蔽板を前記隣接するスロット内に突出させることを特徴とする付記３に記載の電子装置。
（付記１０）  前記遮蔽板の前記スロット天井部に対向する辺に突起が設けられており、
前記天井部には、前記電子機器が前記スロットから抜かれる際に前記突起に係合して前記遮蔽板を移動させ、前記遮蔽板を前記係止部材に係止させるガイド溝が設けられていることを特徴とする付記６から９の何れかに記載の電子装置。
【００５９】
（付記１１）  前記遮蔽板の前記係止解除部材対向面に、前記電子機器の前記スロットへの挿入時には前記レバーよりも先に前記係止解除部材に係合し、前記電子機器を前記スロットから抜く時には前記レバーよりも後で前記係止解除部材に係合する突起が設けられており、
前記突起は、前記電子機器を前記スロットから抜く時に前記係止解除部材に係合して前記遮蔽板を前記係止部材に係止させることを特徴とする付記６から９の何れかに記載の電子装置。
（付記１２）  前記可動部は、前記流量制限部材が取り付けられ、前記電子機器の前記スロットへの抜き差し方向に対して垂直な方向に設けられた回転軸と、前記流量制限部材を突出方向に付勢する付勢部材を含むことを特徴とする付記２、３及び６から１１の何れかに記載の電子装置。
（付記１３）  複数個の電子機器を搭載可能な電子装置のスロットに搭載される電子機器であって、
前記電子機器は、隣接するスロットに対向する位置に設けられ、該隣接するスロットに電子機器が無い場合に該スロット内に突出し、該スロット内の冷却風の流れを遮る流量制限部材を備えることを特徴とする電子機器。
（付記１４）  前記流量制限部材は、
遮蔽板と、
隣接するスロットに電子機器が挿入された際に前記遮蔽板を電子機器間の空間に退避させ、該隣接するスロットの電子機器が抜かれた際に前記遮蔽板を突出させる可動部を含むことを特徴とする付記１３に記載の電子機器。
（付記１５）  前記電子機器は、隣接するスロットに対向する外壁面に段差を有し、該隣接するスロットに電子機器が挿入された際に前記遮蔽板は前記段差と前記隣接する電子機器との間の空間に退避することを特徴とする付記１４に記載の電子機器。
【００６０】
（付記１６）  前記遮蔽板が前記電子機器の一方の側面に設置されていることを特徴とする付記１３から１５の何れかに記載の電子機器。
（付記１７）  前記遮蔽板が、前記電子機器の両側の側面に設置されていることを特徴とする付記１３から１５の何れかに記載の電子機器。
（付記１８）  前記電子機器の両側の側面にある遮蔽板は、前記電子機器の前記スロットに対する抜き差し方向に対して所定距離離れて設置されていることを特徴とする付記１７に記載の電子機器。
（付記１９）  前記段差内に、前記遮蔽板を前記段差内に係止するための係止部材と、前記係止部材の係止動作を解除する係止解除部材が設けられており、前記電子機器は、前記遮蔽板が前記係止部材に係止された状態で前記スロットに挿入される場合に、
前記電子機器が前記スロット内に完全に挿入された状態では、前記係止解除部材が前記遮蔽板に突設されたレバーに係合して、前記遮蔽板を前記隣接するスロット内に突出させることを特徴とする付記１５に記載の電子機器。
（付記２０）  前記可動部は、前記流量制限部材が取り付けられ、前記電子機器の前記スロットへの抜き差し方向に対して垂直な方向に設けられた回転軸と、前記流量制限部材を突出方向に付勢する付勢部材を含むことを特徴とする付記１４，１５及び１９の何れかに記載の電子機器。
【符号の説明】
【００６１】
１    電子装置
２    筺体
２Ａ    天井壁
３、３Ａ    スロット（搭載スペース）
４、１４、１４Ａ    凹部
５    アンロック突起
６、８    ガイド板
７    ガイド溝
６Ａ、６Ｂ    段差部
６Ｔ    突出部
９    冷却ファン
１０    搭載ユニット（電子機器）
１２    回転軸
１５、２６    突起
１６    ロック板
１７，１８    アンロック機構
２０，２０Ｌ，２０Ｒ    遮蔽板（流量制限部材）
２３、２４    レバー
２５    ポスト
２７    蝶番
２８    係止片
４０    バネ部材
ＳＰ    隙間
【図１】
0005880013.tif 000002
【図２】
0005880013.tif 000003
【図３】
0005880013.tif 000004
【図４】
0005880013.tif 000005
【図５】
0005880013.tif 000006
【図６】
0005880013.tif 000007
【図７】
0005880013.tif 000008
【図８】
0005880013.tif 000009
【図９】
0005880013.tif 000010
【図１０】
0005880013.tif 000011
【図１１】
0005880013.tif 000012
【図１２】
0005880013.tif 000013
【図１３】
0005880013.tif 000014
【図１４】
0005880013.tif 000015